(57)【要約】【課題】自装置の機能をユーザに十分にアピールすることができる表示装置を提供する。【解決手段】本発明のテレビジョン受像機１は、自装置の機能を表す、複数の説明情報を取得する説明情報取得部２と、少なくとも顔を有した所定のキャラクターを表すキャラクター画像を取得するキャラクター画像取得部３と、複数の説明情報から選択されるいずれかの説明情報、およびキャラクター画像を組み合わせて表示する表示部２１とを備えている。【選択図】図１
2011139143.tif 000002
【特許請求の範囲】
【請求項１】
自装置の機能を表す、複数の説明情報を取得する説明情報取得手段と、
少なくとも顔を有した所定のキャラクターを表すキャラクター画像を取得する画像取得手段と、
上記複数の説明情報から選択されるいずれかの説明情報、および上記キャラクター画像を組み合わせて表示する表示手段とを備えていることを特徴とする表示装置。
【請求項２】
上記キャラクター画像は、動画を含むことを特徴とする請求項１に記載の表示装置。
【請求項３】
上記画像取得手段は、同一の上記キャラクターを互いに異なる表示形態によって表す、複数の上記キャラクター画像を取得し、
上記複数のキャラクター画像の中から、選択された上記説明情報に応じていずれかの上記キャラクター画像を選択して表示させる表示制御手段をさらに備えていることを特徴とする請求項１または２に記載の表示装置。
【請求項４】
上記説明情報は音声信号を含み、上記音声信号を出力する音声出力手段をさらに備え、
上記表示制御手段は、上記キャラクターが音声を発しているように、上記音声信号に合わせて上記キャラクター画像を表示させることを特徴とする請求項３に記載の表示装置。
【請求項５】
請求項１〜４のいずれか１項に記載の表示装置を備えていることを特徴とするテレビジョン受像機。
【請求項６】
自装置の機能を表す、複数の説明情報を取得する説明情報取得ステップと、
少なくとも顔を有した所定のキャラクターを表すキャラクター画像を取得する画像取得ステップと、
上記複数の説明情報から選択されるいずれかの説明情報、および上記キャラクター画像を組み合わせて表示する表示ステップとを包含することを特徴とする表示方法。
【請求項７】
請求項１〜４のいずれか１項に記載の表示装置を動作させるためのプログラムであって、コンピュータを上記の各手段として機能させるためのプログラム。
【請求項８】
請求項７に記載のプログラムを記録しているコンピュータ読取可能な記録媒体。
【発明の詳細な説明】
【技術分野】
【０００１】
本発明は、自装置の機能を説明するためのデモンストレーションを行なう表示装置、テレビジョン受像機、表示方法、プログラムおよび記録媒体に関する。
【背景技術】
【０００２】
近年、薄型デジタルテレビの市場では、大画面化、高機能化またはネットワーク化等、多種多様な機能が搭載されたテレビが主流となっている。そのため、ユーザは製品を購入する際、テレビに搭載された様々な機能を確認するために製品のカタログまたは製品に付加されている特徴ラベルを見て比較している。また、近年テレビの外観キャビネットはカラー化されており、ユーザは好みの色のキャビネットを有するテレビを販売店の店頭において選択できる。
【０００３】
しかし、製品のカタログがない場合、または製品から特徴ラベルが剥がれている場合、ユーザは製品の特徴をすぐに調べることができない。また、新規製品が出た場合には、旧型の製品のカタログまたは特徴ラベルは不要となるため廃棄される。この廃棄物は、二酸化炭素の削減が強く望まれている状況において、環境へ負荷がかかるという問題がある。
【０００４】
また、現在普及しつつあるデジタルテレビまたはブルーレイディスクレコーダー等のＡＶ機器の機能は複雑化しており、特に、表示に直接関係のない省エネモードなどの機能またはネット接続方法は説明が困難であり、店頭においてユーザにこれらの機能を把握させることは難しい。また、各社とも短期間における製品開発競争が激化する中、販売の前に販売員に研修を行なって新規製品の知識を習得させている。しかし、次々に開発される新規製品の特徴を販売員に全て理解させることは難しく、まして店頭においてユーザに対して的確に説明させることは困難である。このような事情から、プロモーション費用等も膨大になってきており、費用および効果を大幅に改善できる製品のプロモーションの仕組みが必要とされている。
【０００５】
そこで、これまでに、表示装置の多種多様な機能を視覚的に説明するためのデモンストレーション（以下、「デモ」という）機能を、表示装置自体に備える技術が考えられている。
【０００６】
例えば、特許文献１には、デモモード設定画面において、いずれの機能のデモを行なうかを利用者に選択させ、各機能を紹介する設定変更装置が開示されている。このようにデモ機能を備えた技術については、他にも特許文献２〜６に開示されている。
【０００７】
一方、特許文献７には、ユーザがディスプレイ上において、自己の判断により番組のジャンル毎にそれぞれ形状等が異なるアイコン表示を選択可能な電子番組情報表示方法が開示されている。また、特許文献８には、パソコン制御機能付の音響機器において、再生または記録等の所定の動作を行なっているとき、パソコンのディスプレイにキャラクター画像を表示する技術が開示されている。この音響機器では、再生音楽の履歴状態に応じて、当該ディスプレイに表示する動物（ネコ）のキャラクター画像の表情を変えている。
【先行技術文献】
【特許文献】
【０００８】
【特許文献１】特開２００７−３０６１１３号公報（２００７年１１月２２日公開）
【特許文献２】特開２００７−１７４６１１号公報（２００７年７月５日公開）
【特許文献３】特開２００８−２９４６９７号公報（２００８年１２月４日公開）
【特許文献４】特開２００７−２８８４３２号公報（２００７年１１月１日公開）
【特許文献５】特開２００７−８１６００号公報（２００７年３月２９日公開）
【特許文献６】特開２００７−２２５９０９号公報（２００７年９月６日公開）
【特許文献７】特開２００６−１４０７８３号公報（２００６年６月１日公開）
【特許文献８】特開２００２−１３３７６２号公報（２００２年５月１０日公開）
【発明の概要】
【発明が解決しようとする課題】
【０００９】
しかし、デモの内容自体に面白みがない、または理解し難い場合、その装置が有する多種多様な機能をユーザに対して十分にアピールできない可能性がある。この場合、ユーザに対して十分に機能を伝えることができず、その機能を使用する意欲が沸かない虞がある。
【００１０】
また、パーソナルテレビの購入には子供の選択権も広がってきている中、従来のテレビのデモモードの内容はユーザまたは購入対象者として成人を前提にしているため、子供に受入れられる簡単デモモードを搭載したテレビが求められている。特許文献１〜６に開示されている技術では、様々な年齢層のユーザの興味を引き付け、機能を簡単に説明することができるデモを行なうという点において十分とはいえない。
【００１１】
また、特許文献７または８には、デモに関して記載されておらず、装置におけるお奨めの機能または設定等をユーザに説明することはできない。
【００１２】
本発明は、上記の課題に鑑みてなされたものであり、その目的は、自装置の機能をユーザに十分にアピールすることができる表示装置を提供することにある。
【課題を解決するための手段】
【００１３】
本発明に係る表示装置は、上記の課題を解決するために、
自装置の機能を表す、複数の説明情報を取得する説明情報取得手段と、
少なくとも顔を有した所定のキャラクターを表すキャラクター画像を取得する画像取得手段と、
上記複数の説明情報から選択されるいずれかの説明情報、および上記キャラクター画像を組み合わせて表示する表示手段とを備えていることを特徴としている。
【００１４】
また、本発明に係る表示方法は、上記の課題を解決するために、
自装置の機能を表す、複数の説明情報を取得する説明情報取得ステップと、
少なくとも顔を有した所定のキャラクターを表すキャラクター画像を取得する画像取得ステップと、
上記複数の説明情報から選択されるいずれかの説明情報、および上記キャラクター画像を組み合わせて表示する表示ステップとを包含することを特徴としている。
【００１５】
上記の構成によれば、本発明の表示装置は、自装置の機能を説明するためのデモンストレーションを行なう装置である。具体的には、まず、説明情報取得手段が複数の説明情報を取得すると共に、画像取得手段がキャラクター画像を取得する。次に、表示手段が、複数の説明情報から選択されるいずれかの説明情報、およびキャラクター画像を組み合わせて表示することにより、デモンストレーション（以下、単に「デモ」という）を行なう。
【００１６】
本明細書において、説明情報とは、表示装置が有している複数の機能を表す情報が意図され、デモの主体となる情報である。説明情報には、例えば、表示装置の基本的な性能を表す情報、表示装置に搭載された付加機能を表す情報、または表示装置における各種設定方法を表す情報等が含まれる。説明情報は、例えば静止画、動画または文字によって表示されてもよいし、音声として出力されてもよい。
【００１７】
本明細書において、キャラクター画像とは、少なくとも顔を有した所定のキャラクターを表す画像が意図される。ここで、「少なくとも顔を有した」とは、目、口、鼻等の顔を構成するいずれかの部位を含んでなる形状を意味しており、好ましくは顔の表情が認識され得る形態にて表されたキャラクターである。また、キャラクターとしては、例えばヒトをイラスト化したものであってもよいし、生物または無生物を擬人化したものであってもよい。また、キャラクターは顔のみではなく、例えば胴体等その他の部位を含む形態により表されてもよい。
【００１８】
また、表示装置では、これら説明情報およびキャラクター画像を組み合わせて表示する。つまり、表示装置においてデモを行なうとき、当該デモの主体となる説明情報を表示する際に、キャラクター画像を付加的に表示する。そのため、表示装置の機能を説明する情報を単に表示するだけのデモに比べて、キャラクターを表示することにより、デモに面白さを付加し、ユーザの興味を引き付けることができる。また、装置の操作に詳しくないユーザに対しては、「難しそう」というイメージを軽減させることができる。したがって、自装置の機能をユーザに十分にアピールすることができる。
【００１９】
また、本発明に係る表示装置では、
上記キャラクター画像は、動画を含むことが好ましい。
【００２０】
上記の構成によれば、キャラクター画像は動画で表示される。このように、キャラクター画像を動画にして表示すれば、キャラクターに動きをつけることによりデモにエンターテインメント性を付加することが可能であり、ユーザの興味をさらに引き付けることができる。
【００２１】
また、動画には、少なくとも２つの静止画を任意の時間内に連続的に切り替え表示する、いわゆる２コマアニメ等を含む。これにより、ユーザに動画的な視覚効果を提供することができる。
【００２２】
また、本発明に係る表示装置では、
上記画像取得手段は、同一の上記キャラクターを互いに異なる表示形態によって表す、複数の上記キャラクター画像を取得し、
上記複数のキャラクター画像の中から、選択された上記説明情報に応じていずれかの上記キャラクター画像を選択して表示させる表示制御手段をさらに備えていることが好ましい。
【００２３】
上記の構成によれば、表示装置においてデモ時に表示されるキャラクターはいずれも同一のキャラクター（例えば、クマ）であり、このキャラクターを様々な表示形態によって表す複数のキャラクター画像を取得している。また、取得した複数のキャラクター画像の中から、選択された説明情報に応じていずれかのキャラクター画像を選択して表示させる。
【００２４】
これにより、複数の異なる説明情報に対して常に同じ表示形態のキャラクターを表示させておくのではなく、変化をもたせることができるため、ユーザを飽きさせずにデモを行なうことができる。
【００２５】
また、本発明に係る表示装置では、
上記説明情報は音声信号を含み、上記音声信号を出力する音声出力手段をさらに備え、
上記表示制御手段は、上記キャラクターが音声を発しているように、上記音声信号に合わせて上記キャラクター画像を表示させることが好ましい。
【００２６】
上記の構成によれば、キャラクターがあたかも機能を説明しているように表示させることができる。これにより、ユーザの興味をさらに引き付けると共に、表示装置の機能を音声により説明することによって、当該機能をより分かり易くユーザに伝えることができる。
【００２７】
本発明に係るテレビジョン受像機は、上記の課題を解決するために、
本発明に係る表示装置を備えていることを特徴としている。
【００２８】
上記の構成によれば、本発明のテレビジョン受像機は、自装置においてデモを行なう際、自装置の機能を表す説明情報およびキャラクター画像を取得し、これらを組み合わせて表示させる。さらに、説明情報を音声出力することにより、キャラクターが音声を発しているように表示させる。
【００２９】
よって、ユーザの興味を引き付け、自装置の機能をユーザに十分にアピールすることができる。
【００３０】
なお、本発明に係る表示装置は、コンピュータによって実現してもよい。この場合、コンピュータを上記各手段として動作させることにより表示装置をコンピュータにおいて実現するプログラム、およびそのプログラムを記録したコンピュータ読み取り可能な記録媒体も、本発明の範疇に入る。
【発明の効果】
【００３１】
本発明に係る表示装置は、自装置の機能を表す、複数の説明情報を取得する説明情報取得手段と、少なくとも顔を有した所定のキャラクターを表すキャラクター画像を取得する画像取得手段と、上記複数の説明情報から選択されるいずれかの説明情報、および上記キャラクター画像を組み合わせて表示する表示手段とを備えているので、自装置の機能をユーザに十分にアピールすることができる。
【図面の簡単な説明】
【００３２】
【図１】本発明の一実施形態に係る表示装置の構成を示すブロック図である。
【図２】本発明の一実施形態に係る表示装置におけるデモ画面の表示例を示す図である。
【図３】本発明の一実施形態に係る表示装置において、デモモード開始時における画面の表示例を示す図である。
【図４】本発明の一実施形態に係る表示装置における別のデモ画面の表示例を示す図である。
【図５】本発明の一実施形態に係る表示装置における別のデモ画面の表示例を示す図である。
【図６】本発明の一実施形態に係る表示装置における別のデモ画面の表示例を示す図である。
【図７】本発明の一実施形態に係る表示装置における別のデモ画面の表示例を示す図である。
【図８】本発明の一実施形態に係る表示装置において、デモモード終了時における画面の表示例を示す図である。
【図９】本発明の一実施形態に係る表示装置におけるデモ画面の表示例を示す図である。
【発明を実施するための形態】
【００３３】
本発明に係る表示装置の一実施形態について、図１〜９を参照して以下に説明する。なお、以下に示す表示装置は、テレビジョン受像機１である例を示すが、本発明はこれに限定されるものではなく、様々な表示装置に適用可能である。
【００３４】
〔テレビジョン受像機１の概要〕
図１は、本実施形態に係るテレビジョン受像機１の構成を示すブロック図である。図１に示すように、テレビジョン受像機１は、説明情報取得部（説明情報取得手段）２、キャラクター画像取得部（画像取得手段）３、ＣＰＵ６、メモリ７、バス８、アナログチューナー部１２、ＡＶスイッチ部１３、デジタルチューナー部１４、デジタル復調部１５、分離部（ＤＭＵＸ）１６、ビデオデコード／キャプチャ部１７、ビデオセレクタ部１８、映像処理部１９、加算回路２０、表示部（表示手段）２１、液晶ディスプレイ２２、ＩＰ放送チューナー部２３、画像制御部（表示制御手段）２４、オーディオデコード部２５、オーディオセレクタ部２６、音声出力変換部（音声出力手段）２７、スピーカ２８、外部入力部３１、記録／再生部３２、選局部３３、通信制御部３４およびリモコン受光部３５を備えている。
【００３５】
テレビジョン受像機１は、自装置の機能を説明するためのデモンストレーションを行なう装置である。具体的には、まず、説明情報取得部２が複数の説明情報を取得すると共に、キャラクター画像取得部３がキャラクター画像を取得する。次に、表示部２１が、複数の説明情報から選択されるいずれかの説明情報、およびキャラクター画像を組み合わせて表示することにより、デモンストレーション（以下、単に「デモ」という）を行なう。
【００３６】
本明細書において、説明情報とは、テレビジョン受像機１が有している複数の機能を表す情報が意図され、デモの主体となる情報である。説明情報には、例えば、テレビジョン受像機１の基本的な性能を表す情報、テレビジョン受像機１に搭載された付加機能を表す情報、またはテレビジョン受像機１における各種設定方法を表す情報等が含まれる。説明情報は、例えば静止画、動画または文字によって表示されてもよいし、音声として出力されてもよい。
【００３７】
本明細書において、キャラクター画像とは、少なくとも顔を有した所定のキャラクターを表す画像が意図される。ここで、「少なくとも顔を有した」とは、目、口、鼻等の顔を構成するいずれかの部位を含んでなる形状を意味しており、好ましくは顔の表情が認識され得る形態にて表されたキャラクターである。また、キャラクターとしては、例えばヒトをイラスト化したものであってもよいし、生物または無生物を擬人化したものであってもよい。また、キャラクターは顔のみではなく、例えば胴体等その他の部位を含む形態により表されてもよい。
【００３８】
また、テレビジョン受像機１では、これら説明情報およびキャラクター画像を組み合わせて表示する。つまり、テレビジョン受像機１においてデモを行なうとき、当該デモの主体となる説明情報を表示する際に、キャラクター画像を付加的に表示する。そのため、テレビジョン受像機１の機能を説明する情報を単に表示するだけのデモに比べて、キャラクターを表示することにより、デモに面白さを付加し、ユーザの興味を引き付けることができる。また、装置の操作に詳しくないユーザに対しては、「難しそう」というイメージを軽減させることができる。したがって、自装置の機能をユーザに十分にアピールすることができる。
【００３９】
〔テレビジョン受像機１の構成〕
次に、本実施形態に係るテレビジョン受像機１の各構成について説明する。
【００４０】
ＣＰＵ（Ｃｅｎｔｒａｌ  Ｐｒｏｃｅｓｓｉｎｇ  Ｕｎｉｔ）６は、テレビジョン受像機１の動作を制御する。すなわち、テレビジョン受像機１は、バス８に接続されたＣＰＵ６を含むコンピュータ・システムによって制御される。ＣＰＵ６による制御としては、例えばテレビジョン受像機１における動作モードの切換えを含む。動作モードとしては、例えば、デモモード、コンテンツ視聴モード、またはテレビジョン受像機１に搭載された各種の付加機能を実行するモード等が挙げられる。また、テレビジョン受像機１は、メモリ７に記憶された各種の制御プログラムによっても制御され得る。
【００４１】
メモリ７は、説明情報およびキャラクター画像を記憶している。メモリ７は、通常ＲＡＭ（Ｒａｎｄｏｍ  Ａｃｃｅｓｓ  Ｍｅｍｏｒｙ）によって構成されるが、一部にＲＯＭ（Ｒｅａｄ  Ｏｎｌｙ  Ｍｅｍｏｒｙ）を含んでいてもよく、書き換え可能なフラッシュメモリ等を含んでいてもよい。また、メモリ７には、例えばＣＰＵ６を動作させるためのＯＳ（オペレーティング・システム）または各種の制御ソフト等が記憶され、放送波を介して受信したＥＰＧ（電子番組表；Ｅｌｅｃｔｒｏｎｉｃ  Ｐｒｏｇｒａｍ  Ｇｕｉｄｅ）データ等の番組情報に関するデータ、またはＯＳＤ（オン・スクリーン・ディスプレイ）表示を行なう際に必要となるＯＳＤ用画像データ等が記憶されていてもよい。また、メモリ７は、各種制御動作に必要なワークメモリとして働くワーク領域を有している。
【００４２】
アナログチューナー部１２は、アナログ放送受信用のアンテナ１１を介してアナログテレビ放送信号、すなわちアナログ放送を受信する。アナログチューナー部１２は、受信したアナログテレビ放送信号を選局部３３からの選局指示に応じて選局し、ＡＶ（Ａｕｄｉｏ  Ｖｉｓｕａｌ）スイッチ部１３に出力する。
【００４３】
ＡＶスイッチ部１３は、受信したアナログ放送信号を映像信号と音声信号とに分離し、分離した映像信号をビデオセレクタ部１８に出力し、音声信号をオーディオセレクタ部２６に出力する。
【００４４】
デジタルチューナー部１４は、デジタル放送受信用アンテナ４０を介してデジタルテレビ放送信号、すなわちデジタル放送を受信する。デジタルチューナー部１４は、受信したデジタルテレビ放送信号を選局部３３からの選局指示に応じて選局し、デジタル復調部１５に出力する。
【００４５】
デジタル復調部１５は、受信したデジタルテレビ放送信号を復調し、分離部（ＤＭＵＸ（デマルチプレクサ））１６へ送る。
【００４６】
ＩＰ（Ｉｎｔｅｒｎｅｔ  Ｐｒｏｔｏｃｏｌ）放送チューナー部２３は、電話回線・ＬＡＮ等に接続された通信制御部３４を介してＩＰ放送を受信する。ＩＰ放送チューナー部２３は、受信したＩＰ放送を選局部３３からの選局指示に応じて選局し、選局した特定のＩＰ放送信号を分離部（ＤＭＵＸ）１６へ送る。
【００４７】
外部入力部３１は、外部機器３０と接続され、外部機器３０からコンテンツが入力される。外部機器３０としては、例えば、ＨＤＤ（Ｈａｒｄ  Ｄｉｓｃ  Ｄｒｉｖｅ）もしくはＳＤ（Ｓｅｃｕｒｅ  Ｄｉｇｉｔａｌ）カード等の固体メモリ、またはＢＤ（ブルーレイディスク）、ＤＶＤ（Ｄｉｇｉｔａｌ  Ｖｅｒｓａｔｉｌｅ  Ｄｉｓｃ）もしくはＣＤ（Ｃｏｍｐａｃｔ  Ｄｉｓｃ）等のディスク装置等を含む。また、外部入力部３１は、記録／再生部３２がＢＤ、ＤＶＤまたはＣＤ等のディスク装置から受信したコンテンツも入力される。外部入力部３１は、受信したコンテンツのうち、映像信号をビデオセレクタ部１８に送り、音声信号をオーディオセレクタ部２６に送る。
【００４８】
通信制御部３４は、電話回線、ＬＡＮ（Ｌｏｃａｌ  Ａｒｅａ  Ｎｅｔｗｏｒｋ）、およびインターネット等のネットワーク網を介して通信を確立させるように制御を行なう。
【００４９】
リモコン受光部３５は、リモートコントローラ（以下、リモコンという）３６からの光信号を受信して、リモコン３６からの制御信号を受付ける。なお、ユーザにより入力される各種の設定は、リモコン３６を介して行なわれればよいが、例えばテレビジョン受像機１本体に設けられた設定ボタン等からも入力され得る。
【００５０】
分離部（ＤＭＵＸ）１６は、デジタル復調部１５またはＩＰ放送チューナー部２３から受け取った、多重化されたデジタルテレビ放送信号およびＩＰ放送信号を、映像データと音声データとに分離する。また、分離部（ＤＭＵＸ）１６は、分離した映像データをビデオデコード／キャプチャ部１７に送り、音声データをオーディオデコード部２５に送る。さらに、分離部（ＤＭＵＸ）１６は、それぞれの放送信号に含まれるＥＰＧデータ等のデータを抽出し、画像制御部２４に送る。なお、分離部（ＤＭＵＸ）１６によって抽出された放送信号は、必要に応じてＣＰＵ６による書き込み制御によってメモリ７に記憶される。
【００５１】
ビデオデコード／キャプチャ部１７は、映像データのデコード、または映像データに含まれるビデオ情報を静止画としてキャプチャする。ビデオデコード／キャプチャ部１７は、デコードした映像信号をビデオセレクタ部１８に送る。
【００５２】
ビデオセレクタ部１８は、ＣＰＵ６から制御信号を受付けると、ＡＶスイッチ部１３および外部入力部３１から入力された映像信号のうちいずれか１つを選択して映像処理部１９に出力する。
【００５３】
映像処理部１９は、入力された映像信号に対して、例えば、ノイズリダクションの処理、シャープネスの調整、コントラストの調整等の映像処理を行ない、液晶ディスプレイ２２に対して最適な映像信号となるように映像データを変換する。
【００５４】
説明情報取得部２は、メモリ７から自装置の機能を表す、複数の説明情報を取得する。なお、説明情報の取得先としてはメモリ７に限定されず、例えば外部入力部３１または通信制御部３４を介して外部から取得してもよい。説明情報取得部２は、取得した複数の説明情報からいずれかの説明情報を取得し、当該説明情報に含まれる画像データを画像制御部２４に出力し、音声データをオーディオデコード部２５に出力する。
【００５５】
キャラクター画像取得部３は、メモリ７からキャラクター画像を取得する。なお、キャラクター画像の取得先としてはメモリ７に限定されず、例えば外部入力部３１または通信制御部３４を介して外部から取得してもよい。また、キャラクター画像取得部３は、同一のキャラクターを互いに異なる表示形態によって表す、複数のキャラクター画像を取得し得る。キャラクター画像取得部３は、これら複数のキャラクター画像データを画像制御部２４へ送る。
【００５６】
画像制御部２４は、複数のキャラクター画像データの中から、選択された説明情報に応じていずれかのキャラクター画像データを選択し、当該説明情報の映像データと共に表示部２１に送る。また、画像制御部２４は、メモリ７に予め保存されているＥＰＧデータまたはＯＳＤデータ等を描画してもよく、ＯＳＤデータには、例えば設定メニュー画面、音量ケージ、現在時刻、選局チャンネル等の各種情報を含んでいてもよい。さらに、画像制御部２４は、メモリ７に定期的に更新保存されたＥＰＧデータに基づき、電子番組表を作成してもよく、ユーザによる予約処理を受付けるための情報を作成してもよい。
【００５７】
表示部２１は、画像制御部２４から送られた説明情報の映像データおよびキャラクター画像データを組み合わせて液晶ディスプレイ２２に表示させる。また、表示部２１は、受信した映像データを液晶ディスプレイ２２に表示させるための駆動回路を含み、加算回路２０によって加算された、画像制御部２４からの電子番組表データまたはＯＳＤデータを、映像処理部１９からの映像データに加えて液晶ディスプレイ２２に送る。
【００５８】
液晶ディスプレイ２２は、表示部２１から送られた映像データをディスプレイに表示する。なお、本実施形態ではディスプレイに液晶ディスプレイを採用しているが、これに限定されるものではなく、たとえばプラズマディスプレイまたはＥＬ（エレクトロルミネセンス）ディスプレイなどの他のディスプレイを用いてもよい。
【００５９】
オーディオデコード部２５は、音声データをデコードする。オーディオデコード部２５は、デコードした音声信号をオーディオセレクタ部２６に送る。
【００６０】
オーディオセレクタ部２６は、ＡＶスイッチ部１３からの音声信号、外部入力部３１からの音声信号、およびオーディオデコード部２５からの音声信号を受け、ＣＰＵ６からの制御によってビデオセレクタ部１８において選択された映像信号に対応した音声信号を選択し、音声出力変換部２７を介して音声信号をスピーカ２８に送る。
【００６１】
音声出力変換部２７は、受信した音声信号をスピーカ２８での再生に最適な信号に変換して、スピーカ２８に供給する。
【００６２】
〔テレビジョン受像機１におけるデモ〕
次に、テレビジョン受像機１におけるデモについて、図２を参照して以下に説明する。図２は、テレビジョン受像機１におけるデモ画面の表示例を示す図である。
【００６３】
図２において、５０はデモ画面であり、ここではテレビジョン受像機１に搭載された付加機能である、目覚まし機能に関するデモを行なっている。また、デモ画面５０には、説明情報としてイラスト化された複数のテレビ画像５１およびリモコン画像５３が表示されていると共に、デモ画面５０の上部のテロップ領域５４には、目覚まし機能を説明する説明文がテロップで表示されている。
【００６４】
このデモ画面５０において、テレビ画像５１はテレビジョン受像機１を簡単に表したものであり、リモコン画像５３は、このテレビジョン受像機１に付属されるリモコン３６において、目覚まし機能を設定するボタンが丸い点線で囲む領域に配置されていることを示している。また、テロップ領域５４には、目覚まし機能について分かり易く説明した文章がテロップ表示されるため、ユーザにこの説明文を見せることにより、目覚まし機能についての理解をより深めさせることができる。
【００６５】
また、デモ画面５０には、キャラクター画像５２がさらに表示されている。なお、本実施形態ではキャラクターとしてクマが採用されているが、これに限定されるものではない。このように、テレビジョン受像機１では、デモ画面５０にテレビ画像５１、リモコン画像５３および説明文等の、デモの対象となる機能を説明する説明情報を表示させると共に、キャラクター画像５２を表示させている。
【００６６】
よって、デモに面白さを付加し、ユーザの興味を引き付けることができる。また、機器の操作に詳しくないユーザに対しては、「難しそう」というイメージを軽減させることができる。したがって、自装置の機能をユーザに十分にアピールすることができる。
【００６７】
また、キャラクター画像５２は静止画または動画を含み得る。すなわち、静止画のキャラクター画像５２が表示されていれば、デモに面白さを付加することができる。さらに、キャラクター画像を動画にして表示すれば、キャラクターに動きをつけることによりデモにエンターテインメント性を付加することが可能であり、ユーザの興味をより引き付けることができる。また、動画には、少なくとも２つの静止画を任意の時間内に連続的に切り替え表示する、いわゆる２コマアニメ等を含む。これにより、ユーザに動画的な視覚効果を提供することができる。
【００６８】
ここで、キャラクター画像を動画にして表示する際のキャラクターの動きとしては、例えば、顔の表情が笑った顔、怒った顔、または泣いた顔などと認識されるように、顔のみの動きを変化させてもよい。また、キャラクターが、例えば手または足等の胴体部分を含んでいる場合には、手を上下に動かして変化させてもよいし、キャラクターが後ろ向きに体勢を変えるように動かしてもよい。すなわち、キャラクターにいずれかの変化が見られる状態を動きとして捉え得る。なお、テレビ画像５１またはリモコン画像５３等も動かすことが可能であり、これによりさらに面白さを付加することができる。
【００６９】
また、上述したように、テレビジョン受像機１では、キャラクター画像取得部３が同一のキャラクターを互いに異なる表示形態によって表す、複数のキャラクター画像を取得し、画像制御部２４が複数のキャラクター画像の中から、選択された説明情報に応じていずれかのキャラクター画像を選択して表示させることが好ましい。すなわち、テレビジョン受像機１においてデモ時に表示されるキャラクターはいずれも同一のキャラクター（例えば、クマ）であり、このキャラクターの様々な表示形態は、選択された説明情報に応じて選択され得る。
【００７０】
キャラクターの様々な表示形態としては、例えば、異なる顔の表情または異なる体勢で表される形態を含み、他にも色のみが異なる形態も含み得る。これにより、複数の異なる説明情報に対して常に同じ表示形態のキャラクターを表示させておくのではなく、変化をもたせることができるため、ユーザを飽きさせずにデモを行なうことができる。
【００７１】
さらに、説明情報に音声信号を含んでいる場合、画像制御部２４は、キャラクターが音声を発しているように、音声信号に合わせてキャラクター画像を表示させることが好ましい。すなわち、キャラクターがあたかも機能を説明しているように表示させることが好ましい。これにより、ユーザの興味をさらに引き付けると共に、テレビジョン受像機１の機能を音声により説明することによって、当該機能をより分かり易くユーザに伝えることができる。
【００７２】
〔デモ時のテレビジョン受像機１の動作〕
ここで、デモ時のテレビジョン受像機１の動作について、図３〜８を参照して以下に説明する。図３は、デモモード開始時における画面の表示例を示す図である。
【００７３】
まず、テレビジョン受像機１における動作モードがデモモードに切換えられると、図３に示す表示画面６０において、映像表示領域６１にはデジタルチューナー部１４等を介して取得した表示コンテンツが表示され、機能表示領域６２にはテレビジョン受像機１の機能が表示される。
【００７４】
具体的には、機能表示領域６２において、小領域６３にはテレビジョン受像機１の基本的な性能を表す情報、および付加機能を表す情報が表示され、小領域６４にはデモの対象となる機能が表示されている。ここでは、テレビジョン受像機１の筺体のカラーバリエーションに関して表示され、「ピンク」「ブラウン」「ホワイト」「グリーン」の４色から選択可能であることを示している。なお、このようにテレビジョン受像機１の筺体の色に関するデモを行なう場合、例えば、小領域６３においてテレビジョン受像機１の大きさを表示するサイズ部６５内の塗りつぶしの色を、自装置の筺体の色に合わせて変化させることができる。
【００７５】
この状態において、ユーザが例えばテレビジョン受像機１の筺体本体に設けられたデモ実行ボタン、あるいはリモコン３６に設けられたデモ実行ボタン（例えば、「カラーボタン」）を押すと、図４に示すデモ画面６６に切換えられる。また、例えばテレビジョン受像機１の本体内に例えば人感センサーを設けておき、センサーによりテレビジョン受像機１が人の存在を検出したら自動でデモ画面６６に切換えられるようにしてもよい。図４は、本発明の一実施形態に係る表示装置における別のデモ画面の表示例を示す図である。
【００７６】
デモ画面６６では、テレビおよびリモコンの写真画像６７が表示され、その横にはキャラクター画像６８が表示されている。ここでは、写真画像６７のテレビおよびリモコンの色が、時間の経過に伴い、「ピンク」から上述の各色に順に変化する。これらのデモが終了すると、次に図５に示すデモ画面７０が表示される。図５は、本発明の一実施形態に係る表示装置における別のデモ画面の表示例を示す図である。
【００７７】
デモ画面７０では、機能を表す説明文が上部領域７１に表示されており、下部領域７２にはテレビジョン受像機１のカラーバリエーションを説明する説明情報として、４色それぞれに配色されたテレビおよびリモコンの写真画像７３、ならびに各色を表す文字が表示されている。また、各色の写真画像７３の上には、キャラクター画像７４がさらに表示されている。このように、写真画像７３だけを表示した場合には無味乾燥であるデモを、キャラクター画像７４を併せて表示することにより、面白さを付加し、ユーザの興味を引き付けることができる。
【００７８】
キャラクター画像７４を表示するタイミングは、例えばデモ画面７０に表示を切換えたとき、初めから説明情報と組み合わせて表示させてもよいし、一定時間が経過した後に表示させてもよい。キャラクター画像７４を後から表示させる場合、例えばキャラクターをスライドインさせることができる。この場合、図５においてはキャラクター画像７４が４つあるため、１つずつ時間差でスライドインさせてもよいし、４つ同時にスライドインさせてもよい。
【００７９】
また、デモ画面７０に表示を切換えたとき、予め表示させておくのはテレビの写真画像７３のみで、キャラクター画像７４のスライドインと共にリモコンおよび各色を表す文字をスライドインさせることができる。
【００８０】
このように、テレビジョン受像機１では、選択された説明情報に応じて、図２に示すように１つのキャラクター画像５２を表示してもよいし、図５に示すように複数のキャラクター画像７４を表示してもよい。また、図５に示すキャラクター画像７４はいずれも同じ表示形態であるが、これらはそれぞれ異なる表示形態により表示されてもよい。また、複数のキャラクター画像７４のうちいずれかが静止画であり、いずれかが動画であってもよい。
【００８１】
また、デモにおけるキャラクターの表示のさせ方は、この他にも、例えば図６，７に示すようにしてもよい。図６，７は、本発明の一実施形態に係る表示装置における別のデモ画面の表示例を示す図である。
【００８２】
ここでは、まず、図６に示すように、キャラクター画像７７をデモ画面７５の中央、すなわち、４色それぞれのテレビ画像７６の中央に配しておき、時間の経過に伴い、キャラクター画像７７が徐々に大きくなるように変化をつけて、最終的に図７に示すような大きさに表示されるようにしてもよい。このように、キャラクター画像７７の大きさを時間に伴い変化させることによって、さらに面白さを付加することができる。
【００８３】
上述のデモ表示が一通り終了すると、図８に示すように、通常の表示コンテンツの表示画面に戻る。
【００８４】
なお、キャラクターの表示のさせ方としては、さらに、図９に示すように、キャラクターのシルエット画像を静止画または動画として使用することができる。図９は、本発明の一実施形態に係る表示装置におけるデモ画面の表示例を示す図である。
【００８５】
以上のように、テレビジョン受像機１では、デモを行なう際の表示画面に、デモの主体となる情報に加え、キャラクター画像を表示させる。したがって、自装置の機能をユーザに十分にアピールすることができる。
【００８６】
〔プログラムおよび記録媒体〕
最後に、テレビジョン受像機１に含まれている各ブロックは、ハードウェアロジックによって構成すればよい。または、次のように、ＣＰＵを用いてソフトウェアによって実現してもよい。
【００８７】
すなわち、テレビジョン受像機１は、各機能を実現する制御プログラムの命令を実行するＣＰＵ、この制御プログラムを格納したＲＯＭ、上記制御プログラムを実行可能な形式に展開するＲＡＭ、および上記制御プログラムおよび各種データを格納するメモリ等の記憶装置（記録媒体）を備えている。
【００８８】
この構成により、本発明の目的は、所定の記録媒体によっても、達成できる。この記録媒体は、上述した機能を実現するソフトウェアであるテレビジョン受像機１の制御プログラムのプログラムコード（実行形式プログラム、中間コードプログラム、ソースプログラム）をコンピュータで読み取り可能に記録していればよい。テレビジョン受像機１にこの記録媒体を供給する。これにより、コンピュータとしてのテレビジョン受像機１（またはＣＰＵやＭＰＵ（Ｍｉｃｒｏ  Ｐｒｏｃｅｓｓｉｎｇ  Ｕｎｉｔ））が、供給された記録媒体に記録されているプログラムコードを読み出し、実行すればよい。
【００８９】
プログラムコードをテレビジョン受像機１に供給する記録媒体は、特定の構造または種類のものに限定されない。すなわち、この記録媒体は、たとえば、磁気テープやカセットテープ等のテープ系、フロッピー（登録商標）ディスク／ハードディスク等の磁気ディスクやＣＤ−ＲＯＭ／ＭＯ（Ｍａｇｎｅｔｏｏｐｔｉｃａｌ）／ＭＤ（Ｍａｇｎｅｔｉｃ  Ｄｉｓｋ）／ＤＶＤ／ＣＤ−Ｒ（ＣＤ  Ｒｅｃｏｒｄａｂｌｅ）等の光ディスクを含むディスク系、ＩＣ（Ｉｎｔｅｇｒａｔｅｄ  Ｃｉｒｃｕｉｔ）カード（メモリカードを含む）／光カード等のカード系、あるいはマスクＲＯＭ／ＥＰＲＯＭ（Ｅｒａｓａｂｌｅ  Ｐｒｏｇｒａｍｍａｂｌｅ  Ｒｅａｄ−Ｏｎｌｙ  Ｍｅｍｏｒｙ）／ＥＥＰＲＯＭ（Ｅｌｅｃｔｒｉｃａｌｌｙ  Ｅｒａｓａｂｌｅ  ＰＲＯＭ）／フラッシュＲＯＭ等の半導体メモリ系などとすることができる。
【００９０】
また、テレビジョン受像機１を、通信ネットワークと接続可能に構成しても、本発明の目的を達成できる。この場合、上記のプログラムコードを、通信ネットワークを介してテレビジョン受像機１に供給する。この通信ネットワークは、テレビジョン受像機１にプログラムコードを供給できるものであればよく、特定の種類または形態に限定されない。たとえば、インターネット、イントラネット、エキストラネット、ＬＡＮ、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）、ＶＡＮ（ｖａｌｕｅ−ａｄｄｅｄ  ｎｅｔｗｏｒｋ）、ＣＡＴＶ（Ｃａｂｌｅ  Ｔｅｌｅｖｉｓｉｏｎ）通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【００９１】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００９２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９３】
本発明は、各種表示装置に利用することが可能であり、例えば、液晶テレビ、プラズマテレビ、ＢＤ内蔵テレビもしくは有機ＥＬテレビ等に利用することができる。
【符号の説明】
【００９４】
１      テレビジョン受像機（表示装置、テレビジョン受像機）
２      説明情報取得部（説明情報取得手段）
３      キャラクター画像取得部（画像取得手段）
６      ＣＰＵ
７      メモリ
１２    アナログチューナー部
１４    デジタルチューナー部
１９    映像処理部
２１    表示部（表示手段）
２２    液晶ディスプレイ
２４    画像制御部（表示制御手段）
２７    音声出力変換部（音声出力手段）
２８    スピーカ
５０，６６，７０，７５  デモ画面
５２，６８，７４，７７  キャラクター画像
【図１】
2011139143.tif 000003
【図２】
2011139143.tif 000004
【図３】
2011139143.tif 000005
【図４】
2011139143.tif 000006
【図５】
2011139143.tif 000007
【図６】
2011139143.tif 000008
【図７】
2011139143.tif 000009
【図８】
2011139143.tif 000010
【図９】
2011139143.tif 000011